(57)【特許請求の範囲】
【請求項１】
磁気テープを巻装した単一のリールをカートリッジケース内に回転可能に収容し、使用時に前記リールの回転を許容し、不使用時に前記リールの回転を拘束するリール回転制止手段を備えた磁気テープカートリッジにおいて、
前記リール回転制止手段は、前記リールに対して接離可能に移動してリールの回転を拘束する制止部材と、該制止部材を制止方向に付勢する付勢部材と、前記リールと一体に回転してドライブ側回転駆動手段のチャッキング動作に応じて移動し前記制止部材を解除方向に移動させる解除部材とを有し、
前記制止部材は、回転中心線に対して円錐状に傾斜した前記リールの制止用ギヤと噛合して該リールの回転を制止する傘歯車による制止用ギヤを備え、前記解除部材は前記制止部材と前記リールとの間に介装されて前記リールと一体に上下移動可能であり、該解除部材と前記制止部材は中心部の球面状突起を介して摺動接触することを特徴とする磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容してなる磁気テープカートリッジにおいて、上記リールを不使用時に回転制止状態とするリール回転制止手段の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また保管時等の不使用時には不用意に磁気テープが引き出されないように、上記リールの回転を拘束するリール回転制止手段が設置されている。
【０００３】
上記リール回転制止手段は、リールの一部に係合してその回転を拘束する制止部材を備え、カートリッジを外部記憶装置等のドライブに装填した際には、上記制止部材をドライブ側回転駆動手段によるリールのチャッキング動作に応じて制止状態を解除するように設けている。
【０００４】
【発明が解決しようとする課題】
しかして、前述のリール回転制止手段の動作の信頼性向上、カートリッジケース内への塵埃の侵入防止等の要求から、このリール回転制止手段をリールの回転を拘束する制止部材と、この制止部材を制止方向に付勢する付勢部材と、ドライブ側回転駆動手段のチャッキング動作に応じて移動し前記制止部材を解除方向に移動させる解除部材とに分離した構造に設けることが考えられる。
【０００５】
つまり、不使用状態においては、制止部材によってリールが不用意に回転しないように拘束して磁気テープの引き出しが行われないようにしているが、カートリッジをドライブに装填して回転駆動手段によってリールのチャッキングが行われると、その動作に連係して解除部材が移動して前記制止部材を解除作動する。この状態においてはリールは回転可能となり、磁気テープの引き出し及び巻き取りが行える。
【０００６】
そして、上記のような機構においては、前記制止部材は回転体としてのリールに接離移動してその一部と係止して回転を拘束するものであるが、この制止部材をリールの回転中心と一致させて保持しつつ平行に接離移動させ、外周側の制止部分でリールとの接触を均等に行うことは困難である。また、制止部材の中心位置がずれると、解除部材による解除操作が片寄って作用してリールの制止状態の解除が確実に行えなくなる可能性がある。
【０００７】
本発明は上記点に鑑みなされたもので、リール回転制止手段の制止部材の中心位置を規制し確実な解除作用が得られるようにした磁気テープカートリッジを提供せんとするものである。
【０００８】
【課題を解決するための手段】
上記課題を解決した本発明の磁気テープカートリッジは、磁気テープを巻装した単一のリールをカートリッジケース内に回転可能に収容し、使用時に前記リールの回転を許容し、不使用時に前記リールの回転を拘束するリール回転制止手段を備えたものにおいて、前記リール回転制止手段は、前記リールに対して接離可能に移動してリールの回転を拘束する制止部材と、該制止部材を制止方向に付勢する付勢部材と、前記リールと一体に回転してドライブ側回転駆動手段のチャッキング動作に応じて移動し前記制止部材を解除方向に移動させる解除部材とを有し、前記制止部材は、回転中心線に対して円錐状に傾斜した前記リールの制止用ギヤと噛合して該リールの回転を制止する傘歯車による制止用ギヤを備え、前記解除部材は前記制止部材と前記リールとの間に介装されて前記リールと一体に上下移動可能であり、該解除部材と前記制止部材は中心部の球面状突起を介して摺動接触することを特徴とするものである。
【０００９】
【発明の効果】
上記のような本発明によれば、制止部材がリールに対して回転中心に対して円錐状に傾斜した傘歯車による制止用ギヤで噛合させて回転を制止するように設けたことにより、制止状態における制止部材は上記制止用ギヤの傾斜によってセンタリングされて中心位置がリールの回転中心と一致するものであり、確実な制止状態が得られると共に、解除部材による解除動作に対して全体が均等にリールから離れて解除状態に移動することができ、リール回転制止手段の動作信頼性を確保することができるものである。
【００１０】
【発明の実施の形態】
以下、図面に示す実施の形態に基づいて本発明を詳細に説明する。図１はこの実施の形態における磁気テープカートリッジの不使用状態における断面図、図２は要部の分解斜視図、図３は使用状態における要部断面図である。
【００１１】
磁気テープカートリッジ１は、単一のリール２に磁気テープ（図示省略）を巻装し、上ケース３１と中心部に開口３２ａが設けられた下ケース３２とがビス等により締結されてなるカートリッジケース３内に、上記リール２を回動可能に収容して構成されている。また、上記磁気テープカートリッジ１は、使用時に前記リール２の回転を許容し、不使用時に前記リール２の回転を拘束するリール回転制止手段１０を備えている。
【００１２】
前記リール２は、磁気テープが外周に巻回される有底円筒状のリールハブ２１と、このリールハブ２１の上下端外周からそれぞれ径方向に円盤状に張り出した下フランジ部２２及び上フランジ部２３とからなり、リールハブ２１と下フランジ部２２とが合成樹脂により一体成形され、上フランジ部２３と例えば超音波溶着により結合されている。上記リールハブ２１は中心側下部が底壁２１ａにより閉じられ、該底壁２１ａの下面外周部にはリール２を回転駆動するリールギヤ２４が環状に刻設され、このリールギヤ２４より内周側にはマグネット式吸引用の環状金属板によるリールプレート２５が取り付けられる。そして、上記リール２のリールギヤ２４及びリールプレート２５がカートリッジケース３の底面の開口３２ａに臨むように配置されている。なお、リール２は後述の付勢部材５により下方に付勢される。
【００１３】
また、ドライブ側回転駆動手段１１は、回転シャフト１２の上端面に円環状の駆動ギヤ１３とマグネット（図示せず）を備え、そのチャッキング動作は装填された磁気テープカートリッジ１に対して回転シャフト１２が上昇移動し、駆動ギヤ１３が前記リールギヤ２４に噛合すると共に、マグネットにより上記リールプレート２５を吸引して噛合状態を保持する。
【００１４】
次に、前記リール回転制止手段１０の機構を説明する。このリール回転制止手段１０は、前記リール２に対して接離可能に上下方向に移動する制止部材４と、該制止部材４を制止方向に付勢する付勢部材５と、前記制止部材４を解除方向に移動させる解除部材６とを有している。
【００１５】
前記リール２の底壁２１ａには、前記リールギヤ２４の部分を上下方向に貫通する３個の挿通孔２６が円周上で等間隔に配設され、さらに、底壁２１ａの外周部にはリールハブ２１の円筒面に対して斜めに内歯状の制止用ギヤ２７が刻設されている。この制止用ギヤ２７は、噛合面（係合面）がリール２の回転中心線に対して下向きに傾斜した円錐面となっている。また、上記制止用ギヤ２７は上記挿通孔２６が開口している部分は切り欠かれて後述の解除部材６のアーム部６２が上下動可能となっている。なお、図２に示すリール２は、底壁２１ａの部分のみ切除した状態で示している。
【００１６】
前記制止部材４は、略円盤形状で前記リール２のリールハブ２１内にその底壁２１ａと対向して配置され、下面外周部には外歯傘歯車状に制止用ギヤ４１が刻設され、この制止用ギヤ４１は前記リール２の制止用ギヤ２７と噛合可能である。また、制止部材４の上面には直線縦壁状の突起部４２が上方に延びて形成され、この突起部４２がカートリッジケース３の上ケース３１内面に立設されたガイド部３１ａ内の上下方向に延びる直線状の摺動溝に回転不能に規制された状態で挿入され、制止部材４が前記リール２の底壁２１ａに対して回転しない状態で接離移動可能に設置されている。なお、上記突起部４２及びガイド部３１ａの摺動溝は十字形状に設けてもよい。
【００１７】
さらに、上記制止部材４の突起部４２より外周側の上面と上ケース３１のガイド部３１ａの外周側内面との間にはコイルスプリングによる付勢部材５が縮装されて、制止部材４を下方にその制止用ギヤ４１とリール２の制止用ギヤ２７とが係合する制止方向に付勢している。
【００１８】
前記解除部材６は、前記制止部材４とリールハブ２１の底壁２１ａとの間に上下移動可能に介装され、中心側の円盤部６１の外周の３個所にアーム部６２が半径方向に延びて形成され、該アーム部６２の先端下面には上下方向に延びる角棒状の押上部６３がそれぞれ設けられている。各押上部６３は、前記リールハブ２１に開口された挿通孔２６にそれぞれ出没移動可能に挿通され、その先端はリールハブ２１下面のリールギヤ２４の歯部に臨んで位置する。
【００１９】
そして、前記解除部材６の最下降位置（図１）では、押上部６３の下端面はリールギヤ２４の略歯先位置となり、上記リールギヤ２４にドライブ側回転駆動手段１１のチャッキング動作により駆動ギヤ１３が噛合するのに応じて解除部材６が押圧され所定のストローク量で押し上げられるようになっている（図３）。また、この解除部材６は、押上部６３の挿通孔２６への嵌合によりリール２と一体に回転する。
【００２０】
また、前記付勢部材５によって前記制止部材４は、その下面が上記解除部材６の上面に当接するように付勢されるものであり、両者は解除部材６の中心部に突設された球面状突起６４を介して摺動接触する。この球面状突起６４の先端部は制止部材４の下面中心部に設けられた曲面状の凹部の中心部に当接し、相互の位置決め、ずれ防止等が図られた状態で回転する。
【００２１】
なお、前記制止部材４と前記解除部材６の少なくとも一方を、二硫化モリブデン、ポリテトラフルオロエチレン、黒鉛（グラファイト）、チタン酸カリウムウィスカ、シリコーン（各種グレードのジメチルポリシロキサン及びその変性物）等の滑剤を含有する合成樹脂で成形して、その滑り性を改善してもよい。また、上記の滑剤と共に、オレイン酸アミド滑剤、エルカ酸アミド系滑剤、ステアリン酸アミド系滑剤、ビス脂肪酸アミド系滑剤、非イオン界面活性剤系滑剤、炭化水素系滑剤、脂肪酸系滑剤、エステル系滑剤、アルコール系滑剤、金属石けんなどの滑剤を添加してもよい。さらに、合成樹脂としては、ＰＣ（ポリカーボネート）、Ｐ０Ｍ（ポリオキシメチレン）、ＰＰＳ、ナイロン６又はナイロン６６などの脂肪族系ポリアミド、芳香族ポリアミド、超高分子量ポリエチレン、アイソタクチックポリプロピレン、シンジオタクチックポリスチレン、ポリイミド又はポリアミドイミド又はポリエーテルイミドなどのイミド基を有する耐摩耗性に優れた樹脂を使用するのが好適である。これにより、両者の摺動接触部分の摩擦及び摩耗が低減して、駆動抵抗の減少による安定したリールの回転が行えると共に、摩耗粉の発生を抑制して記録再生性能の信頼性を確保することができる。
【００２２】
前記リール回転制止手段１０の作用を説明すれば、図１は磁気テープカートリッジ１の保管状態等の不使用時であり、この状態では、付勢部材５の付勢力によって制止部材４、解除部材６並びにリール２はカートリッジケース３の下ケース３２側に移動しており、下ケース３２中心部の開口３２ａはリール２によって閉塞される。解除部材６は下面がリールハブ２１の底壁２１ａ上面に当接した最下降状態にあり、その押上部６３は先端部がリールギヤ２４の歯先位置に一致するように突出しており、解除部材６の上面に当接している制止部材４も下降位置にあり、その制止用ギヤ４１とリール２の制止用ギヤ２７とが係合してリール２の不使用時における回転が拘束され、磁気テープの引き出しを阻止する。
【００２３】
上記制止状態においては、制止部材４はその円錐状の制止用ギヤ４１がリール２の制止用ギヤ２７に付勢部材５によって押圧された状態で噛合していることで、この制止部材４はセンタリングされ、その中心位置がリール２の回転中心と一致するように規制され、全周で均等な噛合状態となって、確実な回転制止を行っている。
【００２４】
一方、磁気テープカートリッジ１をドライブに装填した図３のカートリッジ使用時は、ドライブ側回転駆動手段１１の回転シャフト１２がリール２の底面に対して接近し、チャッキング動作によって駆動ギヤ１３がリールギヤ２４に噛合しリール２を若干上方に移動させて保持すると、上記駆動ギヤ１３の歯先が解除部材６の押上部６３の先端中心に当接してこれを押圧して押し上げる。これに伴い、解除部材６が付勢部材５の付勢力に抗して上方へ移動し、この解除部材６と一体に制止部材４も上方の解除方向へ移動する。これにより制止部材４の制止用ギヤ４１とリール２の制止用ギヤ２７の係合が解除され、リール２が回転自在とされる。そして、記録再生装置のドライブによって磁気テープが引き出され又は巻き取りが行われる。
【００２５】
上記解除作動時には、制止部材４はセンタリングされていることで、解除部材６の中心部の球面状突起６４を介しての押し上げに対して、この制止部材４は平行に上昇し全周で均等に移動することで、上記制止用ギヤ４１と制止用ギヤ２７との係合が全周で確実に解除できる。
【００２６】
なお、挿通孔２６及び押圧部６３の数は３個以上配置するようにしてもよい。さらに、前記押上部６３は角棒状に限定されるものではなく、丸棒状であってもよい。
【図面の簡単な説明】
【図１】本発明の一つの実施の形態による磁気テープカートリッジの不使用状態における断面正面図
【図２】図１の磁気テープカートリッジの要部の分解斜視図
【図３】図１の磁気テープカートリッジの使用状態における要部断面図
【符号の説明】
１    磁気テープカートリッジ
２    リール
３    カートリッジケース
４    制止部材
５    付勢部材
６    解除部材
10    リール回転制止手段
11    ドライブ側回転駆動手段
12    回転シャフト
13    駆動ギヤ
21    リールハブ
21a     底壁
24    リールギヤ
26    挿通孔
27    制止用ギヤ
41    制止用ギヤ
62    アーム部
63    押上部
【図１】
0003995788.tif 000002
【図２】
0003995788.tif 000003
【図３】
0003995788.tif 000004